(57)【要約】【課題】  上面視における溜水面の大きさが小さい状態が継続することを抑制することが可能な水洗大便器を提供することを目的とする。【解決手段】  ボウル形状の汚物受け面を有し溜水を溜め置くボウル部と、溜水ととともに汚物を排出する排水トラップ管路と、ボウル部に洗浄水を吐水する吐水部と、使用者による洗浄動作に基づいて吐水部からの吐水を制御する制御部と、を備え、制御部は、洗浄動作検知手段が洗浄動作を検知した時刻から所定時間が経過したか否かを判断する時間経過検知手段と、洗浄動作検知手段の検知に基づき吐水部から洗浄水を吐水させ汚物受け面を洗浄し汚物を排水トラップ管路に向けて流すための第一洗浄、又は、時間経過検知手段により所定時間が経過していると判断した場合に、吐水部から第一洗浄より少ない洗浄水量の洗浄水を吐水させ溜水を補うための第二洗浄、を実施する洗浄工程実施手段と、を有した水洗大便器である。【選択図】  図１
2017179783.tif 000002
【特許請求の範囲】
【請求項１】
洗浄水により洗浄される水洗大便器であって、
ボウル形状の汚物受け面を有し溜水を溜め置くボウル部と、
前記ボウル部の底部に接続され上方へ延びる上昇管路、及び、この上昇管路の下流端に接続され下降する下降管路を有し、溜水ととともに汚物を排出する排水トラップ管路と、
前記ボウル部に洗浄水を吐水する吐水部と、
使用者による洗浄動作に基づいて前記吐水部からの吐水を制御する制御部と、
を備え、
前記制御部は、
使用者による洗浄動作を検知する洗浄動作検知手段と、
前記洗浄動作検知手段が前記洗浄動作を検知した時刻から所定時間が経過したか否かを判断する時間経過検知手段と、
前記洗浄動作検知手段の検知に基づき前記吐水部から洗浄水を吐水させ前記汚物受け面を洗浄し汚物を前記排水トラップ管路に向けて流すための第一洗浄、又は、前記時間経過検知手段により前記所定時間が経過していると判断した場合に、前記吐水部から前記第一洗浄より少ない洗浄水量の洗浄水を吐水させ溜水を補うための第二洗浄、を実施する洗浄工程実施手段と、
を有した水洗大便器。
【請求項２】
前記第二洗浄の洗浄水量は、前記ボウル部及び前記上昇管路における前記上昇管路の下流端の底面の高さ位置から下側の容量の内、前記上昇管路の下流端の底面の高さ位置から下方に２０ｍｍの高さ位置までの容量乃至４０ｍｍの高さ位置までの容量である請求項１に記載の水洗大便器。
【請求項３】
前記所定時間は、２時間乃至１２時間である請求項１又は２に記載の水洗大便器。
【請求項４】
前記ボウル部は、前記上昇管路の下流端の底面の高さ位置よりも下方に段差部を有する請求項１乃至３の何れかに記載の水洗大便器。
【発明の詳細な説明】
【技術分野】
【０００１】
本発明は、洗浄水源から供給される洗浄水により便器を洗浄して汚物を排出する水洗大便器に関する。
【背景技術】
【０００２】
水洗式大便器の使用回数又は使用時間の間隔をカウントし、所定のカウント値に達すると水洗式便器に便器洗浄水とは別に搬送用の水を供給する汚物搬送システムが知られている（例えば、特許文献１参照）。
【先行技術文献】
【特許文献】
【０００３】
【特許文献１】特許第４０９４７９７号公報
【発明の概要】
【発明が解決しようとする課題】
【０００４】
近年、節水化が要求されており、その要求に対応するために水洗大便器のボウル部に溜め置く溜水をより少なくすることが考えられる。ボウル部の形状によっては、平時の上面視における溜水面の大きさを維持しつつ溜水をより少なくすると、例えば横引配管での圧力変動に起因して溜水面が下降した場合、上面視における溜水面の大きさの変化がより大きくなる。この上面視における溜水面の大きさが小さい状態が継続した場合、平時と異なる様相により使用者に漏水等の不安感を与える懸念がある。この懸念に対して、上述した汚物搬送システムにおいては、搬送用の水により溜水面を平時の状態とすることは可能であるが、搬送用の水は通常の便器洗浄水量より大であり、節水化を十分に果たすことができない問題がある。
【０００５】
本発明は、上述した問題を解決するためになされたものであり、上面視における溜水面の大きさが小さい状態が継続することを抑制することが可能な水洗大便器を提供することを目的とする。
【課題を解決するための手段】
【０００６】
本発明は、洗浄水により洗浄される水洗大便器であって、ボウル形状の汚物受け面を有し溜水を溜め置くボウル部と、前記ボウル部の底部に接続され上方へ延びる上昇管路、及び、この上昇管路の下流端に接続され下降する下降管路を有し、溜水ととともに汚物を排出する排水トラップ管路と、前記ボウル部に洗浄水を吐水する吐水部と、使用者による洗浄動作に基づいて前記吐水部からの吐水を制御する制御部と、を備え、前記制御部は、使用者による洗浄動作を検知する洗浄動作検知手段と、前記洗浄動作検知手段が前記洗浄動作を検知した時刻から所定時間が経過したか否かを判断する時間経過検知手段と、前記洗浄動作検知手段の検知に基づき前記吐水部から洗浄水を吐水させ前記汚物受け面を洗浄し汚物を前記排水トラップ管路に向けて流すための第一洗浄、又は、前記時間経過検知手段により前記所定時間が経過していると判断した場合に、前記吐水部から前記第一洗浄より少ない洗浄水量の洗浄水を吐水させ溜水を補うための第二洗浄、を実施する洗浄工程実施手段と、を有した水洗大便器である。
このような構成により、例えば横引配管での圧力変動に起因して溜水の変動が生じた場合においても、上面視における溜水面の大きさが小さい状態が継続することを抑制することができる。
【０００７】
さらに、本発明は、前記第二洗浄の洗浄水量は、前記ボウル部及び前記上昇管路における前記上昇管路の下流端の底面の高さ位置から下側の容量の内、前記上昇管路の下流端の底面の高さ位置から下方に２０ｍｍの高さ位置までの容量乃至４０ｍｍの高さ位置までの容量としてもよい。
このような構成により、例えば横引配管での圧力変動に起因して溜水の変動が生じた場合においても、上面視における溜水面の大きさが小さい状態が継続することを抑制することができる。
【０００８】
さらに、本発明は、前記所定時間は、２時間乃至１２時間としてもよい。
このような構成により、例えば横引配管での圧力変動に起因して溜水の変動が生じた場合においても、上面視における溜水面の大きさが小さい状態が継続することを抑制することができる。
【０００９】
さらに、本発明は、前記ボウル部は、前記上昇管路の下流端の底面の高さ位置よりも下方に段差部を有する構成としてもよい。
このような構成により、溜水面が下降し段差部よりも下方に位置する状態となると、上面視における溜水面の大きさが、比較的大きく変化するが、溜水面の大きさの変化が継続することを抑制することができる。
【発明の効果】
【００１０】
本発明によれば、節水に対応した便器であっても、排水配管内で発生した圧力変動によって溜水面形状の変化が継続することを抑制し、使用者が不安感を感じることを抑制することが可能な水洗大便器を提供することができるという効果がある。
【図面の簡単な説明】
【００１１】
【図１】本発明の一実施形態による水洗大便器を示す部分側面断面図。
【図２】本発明の一実施形態による水洗大便器の制御的な構成を示すブロック図。
【図３】本発明の一実施形態による水洗大便器の動作を示すフローチャート。
【発明を実施するための形態】
【００１２】
以下、図面を参照して本発明の一実施形態による水洗大便器について説明する。
まず、図１により本発明の一実施形態による水洗大便器の構成について説明する。図１は本発明の一実施形態による水洗大便器を示す部分側面断面図である。
図１に示すように、本発明の一実施形態に係る水洗大便器１は、洗い落とし式の水洗大便器であり、この水洗大便器１は、床面Ｆに載置される陶器製の便器本体２を備え、この便器本体２の上部の前方側にはボウル部４が形成され、便器本体２の中央後方側の下方にはボウル部４と連通する排水トラップ管路８が、それぞれ形成されている。
【００１３】
本実施形態における水洗大便器１は、洗浄水源Ｓから電磁弁である給水弁５を介して供給された洗浄水を貯水する貯水タンク１０を備える。貯水タンク１０内には電磁弁である排水弁１５が設けられ、使用者の操作レバー１１の操作により、排水弁１５が開いて便器本体２の吐水部２０に洗浄水が供給されるようになっている。
また、貯水タンク１０は、その内部の水位が止水水位より上昇した場合に排水弁１５を開閉せずにボウル部４へ洗浄水を排水するオーバーフロー手段７を有する。
なお、本実施形態においては、操作レバー１１への操作により吐水部２０に洗浄水が供給されるが、本発明はこのような形態に限定されるものではなく、例えば、リモコンのスイッチへの操作や、人体検知センサによる使用者の検知等の他の使用者の洗浄動作により吐水部へ洗浄水が供給されてもよい。
【００１４】
また、水洗大便器１は、使用者による洗浄動作に基づいて吐水部２０からの吐水を制御する制御部６を備える。制御部６についての詳細は後述する。
【００１５】
ボウル部４は、ボウル形状に形成された汚物受け面１４と、ボウル部４の全周の上方外側に形成されて便器の上部縁を形成するリム部１６とを備えている。また、ボウル部４の下方には、溜水を溜め置く溜水部１８が形成されている。この溜水部１８には洗浄水が毎回の洗浄後に所定量まで貯溜されて所定高さｈ０に位置する溜水面Ｗが形成されている。溜水面Ｗより下方には、ボウル部４の底部に向けて下降する段差状の段差部４ａが形成されている。
【００１６】
また、溜水部１８の下方には、溜水とともに汚物を排出する排水トラップ管路８の上方へ延びる上昇管路８ａが接続される。上昇管路８ａの下流端から下降管路８ｂが下方へ延びている。上昇管路８ａの下流端の底面、即ち、下降管路８ｂの上流端の底面の高さ位置は所定の高さ位置ｈ０である。従って、溜水部１８は、換言すると、ボウル部４及び上昇管路８ａにおける上昇管路８ａの下流端の底面の高さ位置ｈ０から下側の部分である。溜水部１８の容積は、例えば、０．７Ｌである。下降管路８ｂの下流端は排水ソケット９を介して床下の横引配管１２に接続されている。なお、本発明において、溜水部の容積は０．７Ｌに限られるものではなく、例えば、０．５Ｌ乃至１．０Ｌである。
【００１７】
貯水タンク１０から供給される洗浄水は、排水弁１５を経て、吐水部２０からリム部１６と汚物受け面１４との間の面上且つリム部１６の内周壁面上に便器前方方向に吐水されて旋回流が形成され、この旋回流がリム部１６の内周壁面から汚物受け面１４上を溜水部１８の方向に旋回しながら流下する下降流が形成されるようになっている。
【００１８】
ここで、横引配管内部で発生した圧力変動によって溜水部の溜水が排水ソケットを介して横引配管へ流れ込む、いわゆる破封現象が知られている。破封現象を抑止するため、例えば、ＳＨＡＳＥ−Ｓ２００６−２００９給排水衛生設備規準・同解説では封水深（図１でいうＨ）が５０ｍｍ乃至１００ｍｍであることと、横引配管内部の圧力を±４００Ｐａ（−４０ｍｍＡｑ）と定めることで、溜水部からの水の流出による溜水面の低下が２５ｍｍ以内となるようにしている。一方、本実施形態におけるボウル部４は段差部４ａを備えるため、横引配管１２で発生した圧力変動（例えば−４００Ｐａ）によって溜水部１８から溜水が横引配管１２へ流れ込むと、溜水面の上面視での大きさが大きく変化する可能性がある。
【００１９】
次に、図２を参照して本発明の一実施形態における水洗大便器の制御部の機能的な構成について説明する。図２は本発明の一実施形態における水洗大便器の制御的な構成を示すブロック図である。
制御部６は、時刻を計時する計時手段６２と、メモリ６４（記憶手段）とを有し、操作レバー１１や貯水タンク１０内に設けられた水位センサ（図示せず）から出力される信号を受け取って所定の情報処理を行い、その情報処理の結果実行する制御に応じた制御信号を給水弁５、排水弁１５に出力する。その結果、制御部６は、洗浄動作検知手段、時間経過検知手段、洗浄工程実施手段、洗浄水量判断手段として機能する。このように構成された制御部６は、水洗大便器１の使用状況の特性や使用者の特性に合わせて様々な制御を行うことが可能になる。
【００２０】
制御部６は、使用者による操作レバー１１への操作を検知する洗浄動作検知手段と、洗浄動作検知手段が操作レバー１１への操作を検知した時刻から所定時間が経過したか否かを判断する時間経過検知手段と、を有する。
さらに、制御部６は、吐水部２０から洗浄水を吐水させて、汚物受け面１４を洗浄し汚物を排水トラップ管路８に向けて流すための第一洗浄を実施する。制御部６は、時間経過検知手段の検知結果に基づいて、この第一洗浄からの経過時間により、溜水を補う洗浄水を排水トラップ管路８に向けて流す第二洗浄を実施する。
【００２１】
次に、図３を参照して本実施形態における水洗大便器の動作について説明する。図３は本実施形態における水洗大便器の動作を示すフローチャートである。
図３に示すように、使用者が操作レバー１１を使用者が操作することで、便器洗浄操作が行われる（ステップＳ３０２）。便器洗浄操作が行われると、制御部６は、この時刻を時刻Ａとしてメモリ６４に記憶する（ステップＳ３０４）。
【００２２】
次に、制御部６は、排水弁１５を駆動させ、吐水部２０から洗浄水を吐水させることで洗浄工程実施手段により第一洗浄により便器洗浄を実施する（ステップＳ３０６）。この際、吐水部２０から洗浄水を吐水させて、汚物受け面１４を洗浄し汚物を排水トラップ管路８に向けて流すための第一洗浄の洗浄水量は、例えば４．８Ｌである。
【００２３】
次に、制御部６は、メモリ６４に記憶している時刻Ａから所定時間Ｅが経過しているか否かを判断する（ステップＳ３０８）。時刻Ａから所定時間Ｅが経過している場合（ステップＳ３０８：Ｙｅｓ）、排水弁１５を閉止した状態で給水弁５を開放し、貯水タンク１０内へ洗浄水を供給する。所定時間Ｅは、例えば、３時間である。なお、所定時間Ｅは、本発明において３時間に限られるものでなく、例えば、家族全員（３名程度）のトイレ使用間隔を配慮した２時間や、夜間の不要時間帯に相当する８時間等であってもよく、好ましくは２時間乃至１２時間である。
【００２４】
排水弁１５を閉止した状態で給水弁５を開放し、貯水タンク１０内へ洗浄水を供給した結果、貯水タンク１０内の水位が止水水位よりも上昇し、オーバーフロー手段７により、排水弁１５を開閉することなく、ボウル部４へ洗浄水が供給される。これにより、溜水部１８に第一洗浄よりも少ない洗浄水量の洗浄水が供給され、排水トラップ管路８へと第二洗浄の洗浄水が供給される。従って、溜水部１８の溜水面Ｗが高さ位置ｈ０よりも下降していたとしても下降した分の溜水を補うことができる。第二洗浄の洗浄水量は、例えば、０．３Ｌである。なお、第二洗浄の洗浄水量は、本発明において０．３Ｌに限られるものでなく、例えば、溜水部の容量の内、上昇管路の下流端の底面の高さ位置から下方に２０ｍｍの高さ位置までの容量乃至４０ｍｍの高さ位置までの容量としてもよい。
【００２５】
第二洗浄の洗浄水が供給された場合、時刻Ａが現在の時刻に更新され（ステップＳ３１２）、時刻Ａから所定時間Ｅが経過しているか否かを判断する（ステップＳ３０８）に戻り、再び便器洗浄を実施される（ステップＳ３０２）か、時刻Ａから所定時間Ｅが経過している場合（ステップＳ３０８：Ｙｅｓ）を待つことになる。
【００２６】
上述した本発明の一実施形態である水洗大便器１においては、第二洗浄を行うことで、例えば横引配管１２での圧力変動に起因して溜水面Ｗの変動が生じた場合においても、上面視における溜水面Ｗの大きさが小さい状態が継続することを抑制することができる。
【００２７】
なお、本実施形態においては、オーバーフロー手段７によりボウル部４へ洗浄水を供給したが、本発明はこのような形態に限定されるものではなく、他の手段により供給されてもよい。例えば、制御部により制御され使用者の局部を洗浄するノズルを有した衛生洗浄装置を便器本体に設け、オーバーフロー手段に代えて、ノズルからボウル部へ洗浄水を吐水してもよい。
【符号の説明】
【００２８】
１        水洗大便器
２        便器本体
４        ボウル部
４ａ      段差部
５        給水弁
６        制御部
７        オーバーフロー手段
８        排水トラップ管路
８ａ      上昇管路
８ｂ      下降管路
９        排水ソケット
１０      貯水タンク
１１      操作レバー
１２      横引配管
１４      汚物受け面
１５      排水弁
１６      リム部
１８      溜水部
２０      吐水部
６２      計時手段
６４      メモリ
Ｆ        床面
Ｈ        封水深
Ｓ        洗浄水源
Ｗ        溜水面
【図１】
2017179783.tif 000003
【図２】
2017179783.tif 000004
【図３】
2017179783.tif 000005